(57)【要約】【課題】ベランダ等のコンクリート駆体の型枠の垂直度を、簡易な構成で容易に調整することができる型枠の垂直度調整装置を提供する。【解決手段】型枠の垂直度調整装置を、フォームタイと、ターンバックル式パイプと、固定具と、から構成し、上記フォームタイを型枠に固着した突起物に固定し、ターンバックル式パイプの一方のターンバックルをフォームタイの連結片と連結し、かつ、他方のターンバックルを、床面に固定された固定具に連結し、型枠の上部コーナー部に吊り下げ固定した下げ振りを見ながら、ターンバックル式パイプを、型枠の傾きに対応させて時計方向或は反時計方向に回転させてターンバックル式パイプを伸縮させ、型枠の傾きを垂直に修正するように構成した。【選択図】図１
2011026885.tif 000002
【特許請求の範囲】
【請求項１】
フォームタイと、ターンバックル式パイプと、固定具と、から構成され、上記フォームタイを型枠に固着した突起物に固定し、ターンバックル式パイプの一方のターンバックルを上記フォームタイの連結片と連結し、かつ、他方のターンバックルを、床面に固定された固定具に連結し、型枠の上部コーナー部に吊り下げ固定した下げ振りを見ながら、ターンバックル式パイプに開設された回転用孔にロッドを差し込み、型枠の傾きに対応させて時計方向或は反時計方向にパイプを回転させてターンバックル式パイプを伸ばし、或は縮ませることで、型枠の傾きを垂直に修正するように構成したことを特徴とする型枠の垂直度調整装置。
【発明の詳細な説明】
【技術分野】
【０００１】
この発明は、マンション等のベランダ等のコンクリート駆体用型枠の垂直度を調整する装置に関する。
【背景技術】
【０００２】
従来より、上記コンクリート駆体を支持する装置としては、例えば、特許文献１に示すような手段が種々提案されている。
【先行技術文献】
【特許文献】
【０００３】
【特許文献１】特開２００３−１２００５２号公報
【発明の概要】
【発明が解決しようとする課題】
【０００４】
しかしながら、従来、ベランダ等のコンクリート駆体の型枠の垂直度は、建物品質やベランダ強度に大きく影響するにもかかわらず、これを調整する装置があまり提案されておらず、職人まかせなのが現状である。
【０００５】
この発明は、かかる現状に鑑み創案されたものであり、その目的とするところは、ベランダ等のコンクリート駆体用型枠の垂直度を、簡易な構成で容易に調整することができる型枠の垂直度調整装置を提供しようとするものである。
【課題を解決するための手段】
【０００６】
上記目的を達成するため、この発明に係る型枠の垂直度調整装置は、フォームタイと、ターンバックル式パイプと、固定具と、から構成され、上記フォームタイを型枠に固着した突起物に固定し、ターンバックル式パイプの一方のターンバックルを上記フォームタイの連結片と連結し、かつ、他方のターンバックルを、床面に固定された固定具に連結し、型枠の上部コーナー部に吊り下げ固定した下げ振りを見ながら、ターンバックル式パイプに開設された回転用孔にロッドを差し込み、型枠の傾きに対応させて時計方向或は反時計方向にパイプを回転させてターンバックル式パイプを伸ばし、或は縮ませることで、型枠の傾きを垂直に修正するように構成したことを特徴とするものである。
【発明の効果】
【０００７】
それ故、この発明に係る型枠の垂直度調整装置によれば、ベランダ型枠の傾きを、熟練性を要せずに簡易な構成の装置で容易に修正し、所望の垂直度を得ることができる。
【図面の簡単な説明】
【０００８】
【図１】この発明の実施形態となる型枠の垂直度調整装置の構成を示す説明図である。
【図２】図１に示すターンバックル式パイプの斜視図である。
【発明を実施するための形態】
【０００９】
以下、図面を参照して、この発明の実施形態となる型枠の垂直度調整装置を説明する。
【００１０】
〔型枠の垂直度調整装置の構成〕
この発明の実施形態となる型枠の垂直度調整装置は、図１に示すように、フォームタイ１と、ターンバックル式パイプ２０と、略Ｌ字形の固定具３０と、から構成されている。尚、図中符号４０は、下げ振りであり、逆円錐錘４１の平面部中央に糸４２の下端部を固定し、上端をフォームタイ１が取り付けられるベランダ型枠Ｋの上部コーナー部に固定される。
【００１１】
〔フォームタイの構成〕
フォームタイ１は、略８字状に形成されており、ボルト２を緊締或は緩めることで上下端部の開口３，４が開閉するように構成されており、該フォームタイ１の上下穴部５，６には、ベランダ型枠Ｋの上部に固着されたロッド７，８が嵌装され、ボルト２を緊締或は緩めることで、該フォームタイ１をロッド７，８に取り付け、或は取り外すことができるように構成されている。また、該フォームタイ１の下部外側には、連結片９が連結されており、該連結片９の孔１０にボルトナット１１を挿通することで、ターンバックル式パイプ２０の一端部と連結できるように構成されている。
【００１２】
〔ターンバックル式パイプの構成〕
ターンバックル式パイプ２０は、図２に示すように、両端部が塞がれ、かつ、略中央胴部に貫通形成された回転用孔２２を有するパイプ２１と、このパイプ２１の塞がれた両端部に固定され、ターンバックル２３，２４と、から構成されている。このターンバックル２３，２４は、公知（例えば、特開平１０−００８５５８号公報参照）のターンバックルを２分割したものを夫々、上記両端部に固定しており、その構成は公知であるので、その詳細な説明をここでは省略する。
【００１３】
このように構成されたターンバックル２３，２４の一方のターンバックル２３は、上記したように、フォームタイ１の連結片９の孔１０に挿通されたボルト１１が該ターンバックル２３の穴２５に挿通され、ナット１１を介して連結される。また、他方のターンバックル２４は、略Ｌ字形の固定具３０にボルトナット２６を介して連結される。尚、上記ターンバックル２３，２４の孔部に、ワッシャー状の台座を介してナットを溶接固定し、これにボルトを螺装することで、上記連結片９や固定具３０の垂直部３４を固定するように構成してもよい。
【００１４】
〔略Ｌ字形の固定具の構成〕
略Ｌ字形の固定具３０は、その水平部３１に開設された穴３２にハードエッジアンカー３３を打ち込んでベランダ床面に固定され、また、その垂直部３４に開設された孔３５に、他方のターンバックル２４に挿通されたボルトナット２６を挿通して連結するように構成されている。
【００１５】
〔型枠の垂直度調整装置の作用〕
このように構成された型枠の垂直度調整装置を使用するには、先ず、フォームタイ１をベランダ型枠Ｋに固着したロッド７，８に固定し、次に、ターンバックル式パイプ２０の一方のターンバックル２３を上記フォームタイ１の連結片９とボルトナット１１で連結し、かつ、他方のターンバックル２４を、ベランダ床面に固定された固定具３０の垂直部３４にボルトナット２６を介して連結する。
【００１６】
次に、ベランダ型枠Ｋの上部コーナー部に吊り下げ固定した下げ振り４０を見ながら、ターンバックル式パイプ２０の回転用孔２２にロッド２７を差し込み、ベランダ型枠Ｋの傾きに対応させて時計方向或は反時計方向にパイプ２１を回転させると、ターンバックルの作用により、ターンバックル式パイプ２０は伸び、或は縮むので、ベランダ型枠Ｋの傾きは修正され、容易にその垂直度を得ることができる。
【００１７】
以上の説明から明らかなように、この発明の実施形態となる型枠の垂直度調整装置によれば、ベランダ型枠Ｋの傾きを、熟練性を要せずに簡易な構成の装置で容易に修正し、所望の垂直度を得ることができる。
【００１８】
尚、上記実施形態では、この発明をベランダの型枠に適用した場合を例に取り説明したが、この発明にあってはこれに限定されるものではなく、他の部材の垂直度を修正する装置としても適用できることは勿論である。
【符号の説明】
【００１９】
１：フォームタイ
７，８：ロッド
９：連結片
２０：ターンバックル式パイプ
２１：パイプ
２２：回転用孔
２３，２４：ターンバックル
３０：固定具
４０：下げ振り
【図１】
2011026885.tif 000003
【図２】
2011026885.tif 000004